(57)【要約】【課題】シール部材の案内レールへの接触圧力を容易に調整することができる直動案内軸受装置を提供する。【解決手段】スライダ２と案内レール１との間をシールするシール部材２０を備えた直動案内軸受装置において、シール部材２０に流体を注入可能に構成し、該流体の注入によりシール部材２０のリップ部及びその周辺を膨張させることにより、前記リップ部の案内レール１への接触圧を調整可能とする。【選択図】      図１
2007205559.tif 000002
【特許請求の範囲】
【請求項１】
軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダと前記案内レールとの間をシールするシール部材とを備えた直動案内軸受装置において、
前記シール部材に流体を注入可能に構成し、該流体の注入により前記シール部材のリップ部及びその周辺を膨張させることにより、前記リップ部の前記案内レールへの接触圧を調整可能にしたことを特徴とする直動案内軸受装置。
【請求項２】
前記シール部材に前記流体を再注入可能としたことを特徴とする請求項１に記載した直動案内軸受装置。
【発明の詳細な説明】
【技術分野】
【０００１】
本発明は、例えば産業機械分野に用いられる直動案内軸受装置に関する。
【背景技術】
【０００２】
従来のこの種の直動案内軸受装置としては、例えば図４に示すものが知られている。  この直動案内軸受装置は、軸方向に延びる案内レール１と、該案内レール１上に軸方向に相対移動可能に跨架されたスライダ２とを備える。
案内レール１の両側面にはそれぞれ軸方向に延びる転動体転動溝３が形成されており、スライダ２のスライダ本体２Ａには、その両袖部４の内側面に、それぞれ転動体転動溝３に対向する転動体転動溝７が形成されている。そして、これらの向き合った両転動体転動溝３，７の間には転動体の一例としての多数のボールＢが転動自在に装填され、これらのボールＢの転動を介してスライダ２が案内レール１上を軸方向に沿って相対移動できるようになっている。
【０００３】
この移動につれて、案内レール１とスライダ２との間に介在するボールＢは転動してスライダ２の端部に移動するが、スライダ２を軸方向に継続して移動させていくためには、これらのボールＢを無限に循環させる必要がある。
このため、スライダ本体２Ａの袖部４内に軸方向に貫通する転動体通路８を形成すると共に、スライダ本体２Ａの両端にそれぞれ略コ字状のエンドキャップ５を例えばねじ１２等の固定手段を介して固定し、このエンドキャップ５に上記両転動体転動溝３，７間と上記転動体通路８とを連通する半円弧状に湾曲した方向転換路６を形成することにより、転動体無限循環軌道を形成している。なお、図４において、符号１１はエンドキャップ５と共にスライダ本体２Ａの端面にねじ１２等を介して固定されるサイドシール部材、１０はスライダ本体２Ａの端面に形成されたねじ１２のタップ穴、１３は給脂用ニップル、１４は案内レール１の固定用のボルト挿通穴である。
【０００４】
ところで、スライダ２と案内レール１との間をシールする部材としては、上記サイドシール部材１１の他に、図５に示すように、スライダ本体２Ａの案内レール１の上面両側に対向する位置に配設されたインナーシール部材１５や、スライダ本体２Ａの下面に軸方向に沿って配置され、案内レール１の側面に摺接して該スライダ本体２Ａの下面をシールするアンダーシール部材１６が挙げられる。
【発明の開示】
【発明が解決しようとする課題】
【０００５】
上記従来の直動案内軸受装置においては、スライダ２と案内レール１との間をシールするシール部材１１，１５，１６は、一般にねじ止め、インロー部への差込み、或いはファスナー等によりスライダ２に取り付けられるが、インロー部への差込みやファスナーによる取り付けは、その構造からリップ部の案内レール１への接触圧力を調整することが難しく、また、ねじ止めでは前記接触圧力の微妙な調整をすることは難しい。
【０００６】
このようにシール部材のリップ部の案内レール１への接触圧力の調整が容易でないため、前記接触圧力が低すぎると早期にリップ部と案内レール１との間にすき間が生じて密着性が悪くなり、シール性が低下してスライダ２内に異物等が侵入しやすくなる。一方、前記接触圧力が高すぎるとリップ部の摩擦力が大きくなると共にリップ部の摩耗が促進されるという問題がある。
本発明はこのような不都合を解消するためになされたものであり、シール部材の案内レールへの接触圧力を容易に調整することができる直動案内軸受装置を提供することを目的とする。
【課題を解決するための手段】
【０００７】
上記目的を達成するために、請求項１に係る発明は、軸方向に延びる転動体転動溝を有する案内レールと、該案内レールの前記転動体転動溝に対向する転動体転動溝を有し、これらの両転動体転動溝間に挿入された多数の転動体の転動を介して軸方向に沿って相対移動可能に前記案内レールに跨架されたスライダと、該スライダと前記案内レールとの間をシールするシール部材とを備えた直動案内軸受装置において、
前記シール部材に流体を注入可能に構成し、該流体の注入により前記シール部材のリップ部及びその周辺を膨張させることにより、前記リップ部の前記案内レールへの接触圧を調整可能にしたことを特徴とする。
請求項２に係る発明は、請求項１において、前記シール部材に前記流体を再注入可能としたことを特徴とする。
【発明の効果】
【０００８】
本発明によれば、シール部材をスライダに装着した後、気体又は液体等の流体をシール部材に注入してリップ部及びその周辺を膨張させることで、該リップ部を適度なしめ代で案内レールに接触させることができるので、シール部材の案内レールへの接触圧力を容易に調整することができる。
また、使用中にリップ部が摩耗して案内レールへの接触圧力が低下した場合は、シール部材に流体を再注入することで、部品等の交換をすることなく、適切な接触圧力に調整することができる。
【発明を実施するための最良の形態】
【０００９】
以下、本発明の実施の形態の一例を図を参照して説明する。なお、この実施の形態の直動案内軸受装置は、既に図４及び図５で説明した従来の直動案内軸受装置に対してシール部材が相違するだけであるため、シール部材についてのみ説明する。
図１はエンドキャップ５と共にスライダ本体２Ａの端面にねじ１２等を介して固定され、案内レール１の上面及び両側面に摺接してスライダ２の端部をシールするサイドシール部材２０、図２はスライダ本体２Ａの下面に軸方向に沿って配置され、案内レール１の側面に摺接して該スライダ本体２Ａの下面をシールするアンダーシール部材３０、図３はスライダ本体２Ａの案内レール１の上面両側に対向する位置に軸方向に沿って配設され、案内レール１の上面に摺接してサイドシール部材２０をくぐり抜けた異物等のスライダ２内への侵入を防止するインナーシール部材４０である。
【００１０】
そして、この実施の形態では、シール部材２０，３０，４０に気体（例えば不活性ガス等）や液体等の流体を注入可能に構成し、シール部材２０，３０，４０をスライダ２に装着した後、該流体の注入によりシール部材２０，３０，４０のリップ部及びその周辺を膨張させることにより、前記リップ部の案内レール１への接触圧を調整可能にし、また、シール部材２０，３０，４０には流体を再注入可能としている。
【００１１】
更に、スライダ２の移動軸方向をＸ、スライダ２の幅方向をＹ、スライダ２の高さ方向をＺとした場合に、サイドシール部材２０については、Ｙ方向とＺ方向の接触圧力を調整を可能とし、アンダーシール部材３０及びインナーシール部材４０については、共にＸ方向とＹ方向の接触圧力の調整を可能としている。
このようにこの実施の形態では、シール部材２０，３０，４０をスライダ２に装着した後、流体をシール部材２０，３０，４０にそれぞれ注入してリップ部及びその周辺を膨張させることで、該リップ部を適度なしめ代で案内レール１に接触させることができるので、シール部材２０，３０，４０の案内レール１への接触圧力を容易に調整することができる。
【００１２】
これにより、適切な接触圧力でシール部材２０，３０，４０のリップ部を案内レール１に接触させることができ、早期にリップ部と案内レール１との間にすき間が生じるのを防止してシール性の向上を図ることができると共に、リップ部の摩擦力を軽減してリップ部の摩耗を抑制することができる。
また、使用中にリップ部が摩耗して案内レール１への接触圧力が低下した場合は、シール部材２０，３０，４０に流体を再注入することで、部品等の交換をすることなく、適切な接触圧力に調整することができる。
【００１３】
なお、本発明の直動案内軸受装置は上記実施の形態に限定されるものではなく、本発明の要旨を逸脱しない範囲において適宜変更可能である。
例えば、上記実施の形態では、転動体としてボールＢを用いた直動案内軸受装置を例に採ったが、これに限定されず、転動体としてころを用いた直動案内軸受装置に本発明を適用してもよい。
また、上記実施の形態では、サイドシール部材２０、アンダーシール部材３０及びインナーシール部材４０に本発明を適用した場合を例示しているが、これに限定されず、サイドシール部材２０、アンダーシール部材３０及びインナーシール部材４０の内の少なくとも一つのシール部材に本発明を適用するようにしてもよい。
【図面の簡単な説明】
【００１４】
【図１】本発明の実施の形態の一例である直動案内軸受装置のサイドシール部材を示す図である。
【図２】本発明の実施の形態の一例である直動案内軸受装置のアンダーシール部材を示す図である。
【図３】本発明の実施の形態の一例である直動案内軸受装置のインナーシール部材を示す図である。
【図４】従来の直動案内軸受装置を説明するための一部を破断した斜視図である。
【図５】図４の直動案内軸受装置をスライダの軸方向の端部側から見た一部を切り欠いた図である。
【符号の説明】
【００１５】
１  案内レール
２  スライダ
３  転動体転動溝（案内レール側）
５  エンドキャップ
７  転動体転動溝（スライダ側）
Ｂ  ボール（転動体）
２０  サイドシール部材
３０  アンダーシール部材
４０  インナーシール部材
【図１】
2007205559.tif 000003
【図２】
2007205559.tif 000004
【図３】
2007205559.tif 000005
【図４】
2007205559.tif 000006
【図５】
2007205559.tif 000007